(57)【特許請求の範囲】
【請求項１】
脚部の上方に座を設けた椅子において、脚部に設けてなり当該座をスライドさせて座の裏面に設けた座規制部と嵌め合わせることにより座が脚部から上方へ離脱することを防止する第一の規制部材と、弾性変形を利用して前記座に対する着脱を可能にするとともに当該第一の規制部材に取り付けられた座の裏面に設けたリブと嵌め合わされてスライドを規制する溝部を有する第二の規制部材を設けたことを特徴とする椅子。
【請求項２】
脚部の上方に設けられた座受部と、当該座受部に支持される座とを有する椅子において、座受部に設けてなり当該座受部に対して座をスライドさせて座の裏面に設けた座規制部と嵌め合わせることにより座が座受部から上方へ離脱することを防止する第一の規制部材と、弾性変形を利用して前記座に対する着脱を可能にするとともに前記第一の規制部材を介して座受部に取り付けられた座の裏面に設けたリブと嵌め合わされてスライドを規制する溝部を有する第二の規制部材を設けたことを特徴とする椅子。
【請求項３】
前記第一の規制部材が、座を回転スライドさせて当該回転方向と異なる方向への離脱を防止する部材であることを特徴とする請求項１または２に記載の椅子。
【請求項４】
前記第二の規制部材が、脚部を挟み込む弾性片を介して脚部に着脱しうる部材であることを特徴とする請求項１、２または３に記載の椅子。
【請求項５】
前記第二の規制部材を、座裏に着脱し得る座裏カバーに設けたことを特徴とする請求項１、２、３または４に記載の椅子。
【発明の詳細な説明】
【０００１】
【発明の属する技術分野】
本発明は、椅子のクッション部分である座を着脱可能にした椅子に関するものである。
【０００２】
【従来の技術】
従来、着座部分にクッションを有する椅子などにおいては、パイプフレームなどで構成された脚部に座受部を設け、この座受部にクッションを有する座を載せて座裏側からビスなどで固定するようにしていることが多い。
【０００３】
【発明が解決しようとする課題】
ところが、このようにビスなどを用いて座を固定するような構造であると、座面の汚れや破損などに基づいて座を交換するなどのような場合、ビスを取り外して新しい座に交換し、再びビスで固定しなければならないため、その取外作業などに時間を要するという問題を有していた。
【０００４】
そこで、本発明は上記問題を解決するためになされたもので、座の取り付け構造を工夫することによって、座を簡単に着脱できるような椅子を提供するものである。
【０００５】
【課題を解決するための手段】
すなわち、本発明の椅子の一つは上記課題を解決するために、脚部の上方に座を設けたものにおいて、脚部に設けてなり座をスライドさせて座の裏面に設けた座規制部と嵌め合わせることにより座が脚部から上方へ離脱することを防止する第一の規制部材と、弾性変形を利用して前記座に対する着脱を可能にするとともに当該第一の規制部材に取り付けられた座の裏面に設けたリブと嵌め合わされてスライドを規制する溝部を有する第二の規制部材を設けて構成するようにしたものである。
また、本発明の椅子の他の一つは上記課題を解決するために、脚部の上方に設けられた座受部と、当該座受部に支持される座とを有するものにおいて、座受部に設けてなり当該座受部に対して座をスライドさせて座の裏面に設けた座規制部と嵌め合わせることにより座が座受部から上方へ離脱することを防止する第一の規制部材と、弾性変形を利用して前記座に対する着脱を可能にするとともに前記第一の規制部材を介して座受部に取り付けられた座の裏面に設けたリブと嵌め合わされてスライドを規制する溝部を有する第二の規制部材を設けて構成するようにしたものである。
【０００６】
このように、弾性変形を利用して、座のスライドを規制する第二の規制部材を着脱可能に設けるようにしたので、従来のようにビスなどを用いることなく、簡単に座の取外作業を行なうことができるようになる。なお、このような座を取り付ける方法としては、前者の椅子のように、脚部に直接上方への離脱を防止する第一の規制部材を設けることも考えられる。しかし、好ましくは、後者の椅子のように、脚部の上方に座受部を設け、この座受部に座が座受部から上方へ離脱することを防止する第一の規制部材を設けるようにすると良い。このように構成すると、座を支持する接触面積を大きく確保することができ、第一の規制部材を取り付ける位置を大きくすることができる。
【０００７】
また、このように座をスライドさせて取り付ける方法として、座を直線的にスライドさせて第一の規制部材に座を取り付けることも考えられる。しかし、座をスライド回転させることによって取り付けるようにすれば、直線方向に対する座の抜けを防止することができ、例えば、着座時に生じる前後方向の動きに対する座の抜けやガタつきを防止することができるようになる。
【０００８】
更に、このような発明において、座のスライドを規制する方法として、座の裏側にかぎ状の部材を設け、座をスライドさせた場合にこのかぎ状の部材を脚部や座受部に係わり合わせてそのスライドを規制するようにしても良く、また、脚部を弾性片で挟み込むような部材によって座のスライドを規制するように構成しても良い。この場合、特に脚部に対して直接的にこのようなスライドを規制する第二の規制部材を設けると、剛性を有する脚部に対して直接的にスライドを規制することができるので、座をより確実に固定することができる。
【０００９】
また、このような第二の規制部材として、椅子の座裏に着脱し得る座裏カバーで構成するようにすれば、この第二の規制部材を目立たせることなく、椅子全体の外観を美しくすることができる。
【００１０】
【発明の実施の形態】
以下、本発明の一実施の形態について図面を参照して説明する。図１は、本発明の一実施の形態を示すパイプ椅子Ａの外観を示したものであり、図２は、その分解斜視図を示したものである。
【００１１】
このパイプ椅子Ａは、脚部１と、この脚部１の上部に取り付けられる座受部２と、この座受部２の上部に取り付けられる座３と、この座受部２の中心部分に設けられた座裏カバー４（図２参照）とによって構成されるものであり、このパイプ椅子Ａを利用する者によってこの座３を取り替えられるようにしたものである。
【００１２】
この脚部１は、二本の金属製パイプを屈曲させて構成したものであり、互いの脚部を直交させてその交叉部分を溶接して固定し、このように屈曲させた脚部の上部水平部分１０に座受部２を取り付けるための図示しないネジ孔を設けて、ネジで座受部２を取り付けるようにしたものである。
【００１３】
この脚部１に取り付けられる座受部２は、プラスチックなどの合成樹脂によって形成されるものであり、型によって同一の座受部２を大量に生産できるようにしたものである。この座受部２は、内側壁部２１ａと外側壁部２１ｂとを有する中空円盤状に設けられており、この外側壁部２１ｂを脚部１の上部水平部分１０の両端距離よりも内側に設けることによってスタッキングできるようにしている。また、この座受部２は、脚部１の上部水平部分１０にこの座受部２を嵌め合わすための凹部２０と、外側壁部２１ｂと同一円心上に設けるとともにこれと直交する方向に設けたリブ２２と、第一の規制部材たる規制部２３とを設けており、この凹部２０の上板部２０ａにネジ２４を取り付けて脚部１の上水平部分１０に固定できるようにしている。また、この上板部２０ａのネジ取付部の内側には、座３をスライド回転させて上方へ抜けないようにした規制部２３を設けるとともに、脚部１の真上部分にこのような規制部２３を設けることによって、規制部２３の撓みを防止し、確実に座３をスライド回転させて嵌め合わせることができるようにしている。すなわち、交叉する脚部間にこのような規制部２３を設けると、座受部２の撓みなどによって規制部２３が同一平面上から外れてしまい、座３をスライド回転させても嵌め合わせることができなくなる可能性がある。従って、かかる不具合を解消するために、脚部１の真上部分にこのような規制部２３を設けるようにしている。この規制部２３は、上板部２０ａから一定の隙間を設けて、嵌め合わされた座３の垂直方向に対する離脱を規制するための垂直規制部２３ａと、脚部１の交叉部分を中心とするいずれか一方の回転方向に対する座３の回転を規制する回転規制部２３ｂとによって構成されており、このように構成された規制部２３に座３をスライド回転させて嵌め合わせることができるようにしている。
【００１４】
座３は、この座受部２の上部に取り付けられるものであり、図３に示すように、プラスチックなどの合成樹脂によって構成された円形状の座板３０と、この座板３０の上部に取り付けられるクッション体とによって構成されるものである。このクッション体は、座板３０の上面にスポンジ部材を取り付けるとともに、このスポンジ部材を覆うように着座面を構成するカバー３１を取り付け、座板３０の裏面の外縁近傍部分でそのカバー３１の端部を固定するようにしたものである。また、この座板３０も、型によって同一形状のものを大量に生産できるようにしたものであり、その裏面に座受部２に設けられた規制部２３の位置に対応する箇所に座規制部３２を設けるとともに、この座規制部３２を設けた位置の内側に、放射状の起立したリブ３３を複数設けるようにしている。この座規制部３２は、座受部２０に設けられた規制部２３の垂直規制部２３ａに対応する垂直規制部３２ａと、座受部２０の垂直規制部２３ａの先端部分が当たるようにした回転規制部３２ｂとを設けて構成し、図４に示すように互いの規制部２３および座規制部３２をスライド回転して嵌め合わせることにより、座面垂直方向への抜けを防止するようにしている。また、このようにスライド回転させて座３を取り付けるようにすることにより、着座時に生ずる座中心部分を通る直線方向へのスライドも規制するようにしている。
【００１５】
また、第二の規制部材を構成する座裏カバー４は、図２に示すように座受部２の内側壁部２１ａに沿ってその中空部分に取り付けられるものであり、座受部２などと同様にプラスチックなどの合成樹脂によって構成されるものである。この座裏カバー４は、座受部２の内側壁部２１ａに沿う壁部４０を設けており、この壁部４０に脚部１を嵌め合わすための切欠部４１を設けている。また、この切欠部４１の内側には、座裏カバー４の底板４２から起立する弾性片４３を脚部１のパイプ径と略同一距離隔てて設け、その先端部分に設けられた突起部４４によって、挟み込んだ脚部１を容易に抜け落ちないようにしている。また、この座裏カバーの壁部４０には、この座裏カバー４を脚部１に取り付けた場合に座３のリブ３３が嵌め合わされる溝部４５を設けており、この溝部４５によって座受部２に取り付けられた座３のスライド回転を規制するようにしている。
【００１６】
次にこのように構成された各部を組み合わせて構成されたパイプ椅子Ａの座３を交換する場合について説明する。
【００１７】
まず、図１に示すように組み合わされた状態で、座裏に設けられた座裏カバー４と座受部２との隙間部分に指などを引っ掛けて座裏カバー４に引っ張り、弾性片４３の挟み込み力に対抗して座裏カバー４を取り外す。すると、図５に示すように、座裏カバー４に設けられた溝部４５と座板３０に設けられていたリブ３３との規制が解除され、座３のスライド回転が許容されるようになる。そして、この状態で、座３を一方向にスライド回転させて座受部２に設けられた規制部２３と座板３０に設けられた座規制部３２との嵌め合わせを外し、座３を上方向に取り外しできるようにする。そして、座裏カバー４を取り外したことによって形成された座受部２の中空部分に下方から手を入れて、座３を上方に持ち上げて座３を取り外す。
【００１８】
そして、このように取り外された座３に対して、異なる座３を取り付ける場合、取り外し順序を戻るように、まず、座３を座受部２の上に載せてスライド回転させ、座板３０に設けられた座規制部３２と座受部２に設けられた規制部２３とを図３に示すように嵌め合わせる。そして、座規制部３２の垂直規制部３２ａの先端部分が座受部２に設けられた回転規制部２３ｂに当たるまで回転させた状態で（図５）、座受部２の中空部分に座裏から座裏カバー４を挿入し、対向する弾性片４３に脚部１の上水平部分１０を挟み込んで取り付けるようにする。そして、この時、座裏カバー４の溝部４５に座板３に設けられたリブ３３を嵌め合わせて、座３がスライド回転しないようにする。
【００１９】
このように、本実施の形態によれば、脚部１の上方に座３を設けたものにおいて、座３をスライドさせてこのスライド方向と異なる方向への離脱を防止する規制部２３と、弾性変形を利用して座３に対する着脱を可能にするとともにこの規制部２３に取り付けられた座３のスライドを規制する座裏カバー４を設けて構成するようにしたので、従来のようにビスなどを用いることなく、弾性変形を利用してワンタッチで座裏カバー４を取り外し、次に取付方向と逆方向のスライド回転によって座３を取り外すことができるようになる。
【００２０】
また、この実施形態においては、脚部１の上方に座受部２を設け、この座受部２に座３を支持させるような構成を採用し、この座受部３に規制部２３を設けるようにしたので、座３に対する接触面積を大きく確保することができ、規制部２３の取付位置に対して自由度を持たせることができるようになる。
【００２１】
また、この実施の形態においては、座３をスライド回転させることによって取り付けるようにしたので、直線方向に対する座３の抜けを防止することができ、例えば、着座時に生じる前後方向への座３の抜けやガタつきを防止することができる。
【００２２】
更に、第二の規制部材である座裏カバー４についても、椅子Ａの脚部１を挟み込むための弾性片４３を設け、この弾性片４３によって脚部１を挟み込むとともに座３のスライドを溝部４５で規制するようにするようにしたので、剛性を有する脚部１に対して直接スライドを規制することができ、座３に対するガタつきをより確実に防止することができる。また、このように第二の規制部材を、椅子Ａの座裏に着脱し得る座裏カバー４によって構成したので、スライドを規制する構造を目立たせることがなくなり、外観を美しくすることができる。
【００２３】
なお、本発明は上記実施の形態に限られることなく、種々変更することができる。例えば、上記実施の形態においては、座受部２の上板部２０ａに規制部２３を設けるようにしたが、これに限らず、座受部２のリブに沿って座３のスライド回転を規制するための規制部を設けるようにしても良い。また、本実施の形態においては、座受部２上に座３を取り付けるようにしたが、これに限らず、脚部１の上水平部分１０に座をスライドさせて上方への離脱を規制するような部材を取り付け、このように取り付けられた座に対して、そのスライドを規制するように座裏カバーを取り付けるようにしても良い。
【００２４】
【発明の効果】
本発明は、以上説明したような形態で実施され、以下に記載されるような効果を奏する。
【００２５】
すなわち、本発明の椅子は、脚部の上方に座を設けたものにおいて、座をスライドさせて座の裏面に設けた座規制部と嵌め合わせることにより座が脚部から上方へ離脱することを防止する第一の規制部材と、弾性変形を利用して前記座に対する着脱を可能にするとともに当該第一の規制部材に取り付けられた座の裏面に設けたリブと嵌め合わされてスライドを規制する溝部を有する第二の規制部材を設けて構成するようにしたので、簡単に座の取外・取付作業を行なうことができるようになる。
【００２６】
また、脚部の上方に座受部を設け、この座受部に座を支持させるような構成を採用し、この座受部に座が座受部から上方へ離脱することを防止する第一の規制部材を設けるようにしたので、座に対する接触面積を大きく確保することができ、第一の規制部材の取付位置に対して自由度を持たせることができるようになる。
【００２７】
更に、座を回転スライドさせることによって取り付けるようにしたので、直線方向に対する座の抜けを防止することができるようになる。
【００２８】
また、椅子の脚部を挟み込むための弾性片を設け、この弾性片によって脚部を挟み込むことによって座のスライドを規制するように第二の規制部材を設けるようにしたので、剛性を有する脚部に対するスライドを規制することができ、座のガタつきを防止することもできる。
【００２９】
また、このような第二の規制部材として、椅子の座裏に着脱し得る座裏カバーで構成するようにしたので、第二の規制部材を目立たせることなく椅子の外観を美しくすることができる。
【図面の簡単な説明】
【図１】本発明の一実施の形態を示す椅子を組み立てた状態における斜視図。
【図２】同実施の形態を示す椅子の分解斜視図。
【図３】同実施の形態における座の裏面斜視図。
【図４】同実施の形態における規制部の部分拡大図。
【図５】同実施の形態における座受部に座を取り付けた状態の裏面斜視図。
【符号の説明】
Ａ・・・（椅子）パイプ椅子
１・・・脚部
２・・・座受部
３・・・座
４・・・第二の規制部材（座裏カバー）
２３・・・第一の規制部材（規制部）
２３ａ・・・第一の規制部材（垂直規制部）
２３ｂ・・・第一の規制部材（回転規制部）
３２・・・座規制部
３２ａ・・・垂直規制部
３２ｂ・・・回転規制部
４３・・・弾性片
４５・・・溝部
【図１】
0004573425.tif 000002
【図２】
0004573425.tif 000003
【図３】
0004573425.tif 000004
【図４】
0004573425.tif 000005
【図５】
0004573425.tif 000006